(57)【要約】【課題】タッチ入力を検出し、検出結果に応じて、表示画像の消去処理を含む表示処理を行うものであって、処理が複雑でなく、消去指示入力装置に電源が不要な表示装置の提供。【解決手段】表示装置１は、表示部１０に対するタッチ入力を複数同時に検出可能なセンサシステム１１と、該センサシステム１１での検出結果に応じて表示部１０に対する描画処理または消去処理を実行する描画処理部１５とを備え、指示入力装置によってセンサシステム１１に対して複数同時の消去処理用のタッチ入力が行われた場合の消去処理用入力パターンを記憶し、センサシステム１１で複数同時のタッチ入力を検出した場合に、該検出した複数同時のタッチ入力から成るパターンが消去処理用入力パターンと一致するか否か判定し、一致すると判定した場合、描画処理部１５が、センサシステム１１での検出結果に応じて消去処理を行う。【選択図】図５
2015079350.tif 000002
【特許請求の範囲】
【請求項１】
各種情報を表示する表示部と、該表示部に対するタッチ入力を複数同時に検出可能なセンサシステムと、該センサシステムでの検出結果に応じて前記表示部に対する描画処理又は消去処理を実行する描画処理部とを備える表示装置であって、
指示入力装置によって前記センサシステムに対して複数同時の消去処理用のタッチ入力が行われた場合の消去処理用入力パターンを記憶する記憶部と、
前記センサシステムで複数同時のタッチ入力を検出した場合に、該検出した複数同時のタッチ入力から成るパターンが前記消去処理用入力パターンと一致するか否か判定する判定部と、を備え、
前記判定部が前記消去処理用入力パターンと一致すると判定した場合、前記描画処理部が、前記センサシステムでの検出結果に応じて前記消去処理を行うことを特徴とする表示装置。
【請求項２】
前記消去処理用入力パターンは、複数の入力パターンが規則的に配置されて構成されていることを特徴とする請求項１に記載の表示装置。
【請求項３】
前記記憶部は、前記指示入力装置によって前記センサシステムに対して描画処理用のタッチ入力が行われた場合の描画処理用入力パターンを記憶し、
前記判定部は、前記センサシステムで複数同時のタッチ入力を検出した場合に、該検出した複数同時のタッチ入力から成るパターンが前記描画処理用入力パターンと一致するか否か判定し、
前記判定部が前記描画処理用入力パターンと一致すると判定した場合、前記描画処理部は、前記センサシステムでの検出結果に応じて前記描画処理を行うことを特徴とする請求項１または２に記載の表示装置。
【請求項４】
前記描画処理用入力パターンは複数種類あり、
前記描画処理部は、前記判定部が一致すると判定した前記描画処理用入力パターンの種類に応じて前記通常の描画処理を異ならせることを特徴とする請求項３に記載の表示装置。
【請求項５】
タッチ入力を複数同時に検出可能なセンサシステムに対する指示入力装置であって、
前記タッチ入力を行うための電源不要な複数の入力部を有し、該複数の入力部により同時複数のタッチ入力が可能であって同時複数のタッチ入力のパターンをユーザ操作によって変更可能であることを特徴とする指示入力装置。
【発明の詳細な説明】
【技術分野】
【０００１】
本発明は、タッチ入力を検出し、検出結果に応じた表示を行う表示装置であって、特に、検出結果に応じて表示画像の消去処理を行う表示装置に関するものである。
【背景技術】
【０００２】
従来、ペンや指でのシングルタッチ情報を元に、背景と同じ色で画像や文字に上書きすることで文字を消去していたが、この方法ではユーザが消去させたい部分が大面積である場合、短時間で消去することは困難である。
以上の点を解決するための方法は、例えば、特許文献１〜３に開示されている。
【０００３】
特許文献１には、感圧式のタッチパネルに対する手書き入力デバイスの入力面積や入力形状を検出し、該検出した入力面積や入力形状に基づいて入力操作を行った手書き入力デバイスの種類を識別し、消去指示入力装置すなわちイレーサが認識された場合、描画処理部でイレーサの軌跡に従った消去処理を行う手書き入力装置が開示されている。
【０００４】
特許文献２には、静電容量方式のタッチパネルの電極ごとのレベル信号に基づいてタッチ位置候補点を抽出し、このタッチ位置候補点を所定の連結条件にしたがって互いに隣接するもの同士で連結して、タッチ操作があったものと予測されるオブジェクト領域を抽出し、該オブジェクト領域の外形と大きさによって、イレーサによるものか否かを判定するタッチパネルが開示されている。
【０００５】
特許文献３には、電磁的な座標指示部を複数有するイレーサから入力面に座標入力指示が行われると、イレーサによる複数の座標指示部の座標を検出し、該座標のうちの少なくとも２点を結ぶ直線を算出する一方、イレーサが入力面に当接されたまま該入力面上を連続的に移動するときに、上記の直線の軌跡によって形成される２次元領域を算出し、該２次元領域の表示画像を消去する情報処理装置が開示されている。
【先行技術文献】
【特許文献】
【０００６】
【特許文献１】特開平８−２８６８３０号公報
【特許文献２】特開２０１１−１３４０６９号公報
【特許文献３】特開平８−２６３２１２号公報
【発明の開示】
【発明が解決しようとする課題】
【０００７】
しかしながら、特許文献１や特許文献２に開示の方法では、イレーサの誤検出を防ぐためには、検出の際のイレーサによる入力形状や入力面積を正確に定義しておく必要があり、このように正確に定義した場合、処理が複雑化する。
また、特許文献３に開示の方法では、イレーサに電源が必要となる。
【０００８】
本発明は、上述の実情に鑑みてなされたもので、タッチ入力を検出し、検出結果に応じて、表示画像の消去処理を含む表示処理を行うものであって、処理が複雑でなく、消去指示入力装置に電源が不要な表示装置を提供することを目的とする。
【課題を解決するための手段】
【０００９】
上記課題を解決するために、本発明の第１の技術手段は、各種情報を表示する表示部と、該表示部に対するタッチ入力を複数同時に検出可能なセンサシステムと、該センサシステムでの検出結果に応じて前記表示部に対する描画処理又は消去処理を実行する描画処理部とを備える表示装置であって、指示入力装置によって前記センサシステムに対して複数同時の消去処理用のタッチ入力が行われた場合の消去処理用入力パターンを記憶する記憶部と、前記センサシステムで複数同時のタッチ入力を検出した場合に、該検出した複数同時のタッチ入力から成るパターンが前記消去処理用入力パターンと一致するか否か判定する判定部と、を備え、前記判定部が前記消去処理用入力パターンと一致すると判定した場合、前記描画処理部が、前記センサシステムでの検出結果に応じて前記消去処理を行うことを特徴としたものである。
【００１０】
本発明の第２の技術手段は、第１の技術手段において、前記消去処理用入力パターンは、複数の入力パターンが規則的に配置されて構成されていることを特徴としたものである。
【００１１】
本発明の第３の技術手段は、第１または２の技術手段において、前記記憶部は、前記指示入力装置によって前記センサシステムに対して描画処理用のタッチ入力が行われた場合の描画処理用入力パターンを記憶し、前記判定部は、前記センサシステムで複数同時のタッチ入力を検出した場合に、該検出した複数同時のタッチ入力から成るパターンが前記描画処理用入力パターンと一致するか否か判定し、前記判定部が前記描画処理用入力パターンと一致すると判定した場合、前記描画処理部は、前記センサシステムでの検出結果に応じて前記描画処理を行うことを特徴としたものである。
【００１２】
本発明の第４の技術手段は、第３の技術手段において、前記描画処理用入力パターンは複数種類あり、前記描画処理部は、前記判定部が一致すると判定した前記描画処理用入力パターンの種類に応じて前記通常の描画処理を異ならせることを特徴としたものである。
【００１３】
本発明の第５の技術手段は、タッチ入力を複数同時に検出可能なセンサシステムに対する指示入力装置であって、前記タッチ入力を行うための電源不要な複数の入力部を有し、該複数の入力部により同時複数のタッチ入力が可能であって同時複数のタッチ入力のパターンをユーザ操作によって変更可能であることを特徴としたものである。
【発明の効果】
【００１４】
本発明の表示装置によれば、処理の複雑化を防ぎ、また、消去指示入力装置に電源を不要とすることができる。
【図面の簡単な説明】
【００１５】
【図１】本発明の第１の実施形態の表示装置の構成例を説明する図である。
【図２】図１のイレーサの構成例を説明する図である。
【図３】図２のイレーサで図１の表示装置にタッチ操作したときに該表示装置で検出される静電容量の変化量の分布を示す図である。
【図４】指等で図１の表示装置にタッチ操作したときに該表示装置で検出される静電容量の変化量の分布を示す図である。
【図５】図１の表示装置の機能を説明するブロック図である。
【図６】図５の表示装置における描画処理の一例を示すフローチャートである。
【図７】本発明の第２の実施形態の表示装置の構成例を説明する図である。
【図８】図７の２つのマウスの構成例を説明する図である。
【図９】図８のイレーサで図７の表示装置にタッチ操作したときに該表示装置で検出される静電容量の変化量の分布を示す図である。
【図１０】図８のイレーサで図７の表示装置にタッチ操作したときに該表示装置で検出される静電容量の変化量の分布を示す図である。
【図１１】図７の表示装置の機能を説明するブロック図である。
【発明を実施するための形態】
【００１６】
以下、図面を参照しながら、本発明の表示装置の好適な実施形態について説明する。なお、以下の発明において、異なる図面においても同じ符号を付した構成は同様のものであるとして、その説明を省略する。
【００１７】
図１は、本発明の第１の実施形態の表示装置の構成例を説明する図である。
図１の表示装置１は、各種情報を表示する表示部１０を備え、該表示部１０の前面にセンサシステム１１を備える。センサシステム１１は、該センサシステム１１に対するタッチ入力を複数同時に検出可能な静電容量方式のものである。
【００１８】
ユーザが、表示装置１に対して、すなわちセンサシステム１１に対して、指Ｔ１やペンＴ２でタッチ入力すると、表示装置１では、センサシステム１１でのタッチ入力の検出結果に応じて通常の描画処理を行い、表示部１０に表示する。
また、ユーザがセンサシステム１１に対して、イレーサＴ３でタッチ入力すると、表示装置１では、センサシステム１１でのタッチ入力の検出結果に応じて、表示部１０への表示画像の消去処理を行う。
【００１９】
図２は、イレーサＴ３の構成例を説明する図である。
イレーサＴ３は、誤検出防止のため特殊形状となっており、具体的には、センサシステム１１側の面Ｔ３１に、円形の導電体から成る入力部Ｔ３２を２個×３列の計６個有する。入力部Ｔ３２の数は、６個に限られないが、ユーザの指による入力と確実に区別して識別するために６個以上が好ましい。
このイレーサＴ３は、パッシブ型であり、電源は不要である。
【００２０】
図３（Ａ）は、イレーサＴ３で表示装置１にタッチ操作したときに該表示装置１で検出される静電容量の変化量の分布を変化量をＺ軸方向として３次元的に示す図で、図３（Ｂ）は同分布であって静電容量の変化が検出された部分を灰色で示す図である。
図４（Ａ）は、指等で表示装置１にタッチ操作したときに該表示装置１で検出される静電容量の変化量の分布を３次元的に示す図で、図４（Ｂ）は同分布であって静電容量の変化が検出された部分を灰色で示す図である。
図３（Ａ）及び図３（Ａ）では、センサシステム１１のセンサ面をＸＹ平面、静電容量変化量をＺ軸方向としている。
【００２１】
図３（Ａ）の分布Ｄ１、図３（Ｂ）の分布Ｄ２、図４（Ａ）の分布Ｄ３、図４（Ｂ）の分布Ｄ４に示すように、イレーサＴ３によるタッチ入力の場合と、指等によるタッチ入力の場合とで、入力配置検出部１３ａによって検出される静電容量が変化する位置の個数と位置関係が異なり、言い換えると、検出されるタッチ入力位置のパターンが異なる。
図１の表示装置１では、上述のようにタッチ入力位置のパターンが異なることを利用して、タッチ入力元がイレーサＴ３であるか否かを判定する。
【００２２】
図５は、図１の表示装置１の機能を説明するブロック図である。
表示装置１は、表示部１０とセンサシステム１１の他に、駆動部／容量値取得部１２と、タッチ認識処理部１３と、記憶部１４と、描画処理部１５とを備える。
【００２３】
表示部１０は、例えば、液晶ディスプレイや有機ＥＬ（Electro-Luminescence）ディスプレイ等で構成され、描画処理部１５の処理結果の表示を行う。
【００２４】
センサシステム１１は、前述のように静電容量方式のものであり、互いに並走する送信電極と、互いに並走する受信電極とが直交し、マトリックス状に配置されている。
【００２５】
駆動部／容量値取得部１２は、センサシステム１１の送信電極に駆動信号の印加を行い、該駆動信号に応答した受信電極の充放電電流信号を受信し、該充放電電流信号に基づいて送信電極と受信電極との電極交点毎の静電容量値を取得する。例えば、電極の交点に近接する導電性物体があったとき、すなわち、タッチ操作があったとき、上記電極交点で静電容量が変化するので、受信電極で受信する充放電電流信号に変化が生じ、この変化量を変換して、タッチ操作があったときの静電容量値を取得することができる。
【００２６】
タッチ認識処理部１３は、入力位置検出部１３ａと判定部１３ｂとを有する。
入力位置検出部１３ａは、駆動部／容量値取得部１２から出力されたセンサシステム１１の電極交点の静電容量値の分布パターンからタッチ入力位置の検出を行う。タッチ入力位置は、送信電極と受信電極の交点１つからなってもよいし、複数の隣接する同交点からなってもよい。
【００２７】
記憶部１４は、各種情報を記憶するものであり、例えばＨＤＤ（Hard Disk Drive）を用いて構成することができる。この記憶部１４は、特に、図２のイレーサＴ３によってセンサシステム１１に対してタッチ入力された場合に入力位置検出部１３ａによって検出されるタッチ入力位置のパターンを記憶する。記憶部１４は、上記タッチ入力位置のパターンとして、例えば、各タッチ入力位置の相対的な座標を記憶する。なお、上記タッチ入力位置のパターンはユーザが任意に設定可能である。また、イレーサＴ３によるタッチ入力位置のパターンすなわち消去処理用入力パターンは、図２の例の等間隔に３個並べたものを２列設けたパターンのように、複数のタッチ入力位置のパターンが規則的に配置されて構成されていることが好ましい。
【００２８】
判定部１３ｂは、入力位置検出部１３ａで検出されたタッチ入力位置のパターンが、記憶部１４に記憶されている、イレーサＴ３によってタッチ入力された場合のタッチ入力位置のパターンと一致するか判定する。
【００２９】
描画処理部１５は、判定部１３ｂでの判定結果に応じた描画処理を行う。より具体的には、描画処理部１５は、判定部１３ｂにより一致しないと判定された場合、タッチ入力に応じた通常の描画処理を行い、一方、判定部１３ｂにより一致すると判定された場合、検出されたタッチ入力位置に囲まれた領域にある既に描画された情報を、背景色で上書きし、削除する消去処理／イレーサ処理を行う。なお、イレーサ処理を行う領域は、タッチ入力位置に囲まれた領域と略同じであれば該領域よりも大きくても小さくても構わない。
【００３０】
図６は、図５の表示装置１における描画処理の一例を示すフローチャートである。
描画処理の際、表示装置１では、まず、入力位置検出部１３ａがタッチ入力があったか否か判定する（ステップＳ１）。タッチ入力がないと判定された場合（ＮＯの場合）、ステップＳ１に戻り、タッチ入力があると判定された場合（ＹＥＳの場合）、判定部１３ｂは、検出されたタッチ入力位置の数は６点であるか否か判定する（ステップＳ２）。
タッチ入力位置の数が６点の場合、判定部１３ｂは、検出されたタッチ入力位置のパターンが、記憶部１４に記憶されている、イレーサＴ３によってタッチ入力された場合のタッチ入力位置のパターンと一致するか判定する（ステップＳ３）。
【００３１】
タッチ入力位置の数が６点でない場合（ステップＳ２、ＮＯの場合）やタッチ入力位置のパターンが一致しない場合（ステップＳ３、ＮＯの場合）、表示装置１は描画モードを通常描画モードへ移行し（ステップＳ６）、描画処理部１５がタッチ入力に応じた通常描画処理を行い（ステップＳ７）、ステップＳ１へ処理が戻される。
【００３２】
ステップＳ３において、タッチ入力位置のパターンが一致すると判定された場合（ＹＥＳの場合）、表示装置１は描画モードをイレーサモードへ移行し（ステップＳ４）、描画処理部１５が、既に描画した情報のうち、検出されたタッチ入力位置に囲まれた領域にあるものを背景色で上書きし、イレーサ処理を行い（ステップＳ５）、ステップＳ１へ処理が戻される。
【００３３】
このように、規則的なパターンのような所定のマルチタッチ信号のパターンをイレーサが発生するようにイレーサに導電体を複数設け、表示装置側では所定のマルチタッチ信号のパターンが検出されたことをトリガーとしてイレーサ処理を行うことで、イレーサ自体に電気的な処理を必要とせず、また、イレーサを他のタッチ信号と区別するために、大きさ、形状を正確に認識するための複雑な処理も不要としている。
【００３４】
図７は、本発明の第２の実施形態の表示装置の構成例を説明する図である。
図１の表示装置１がホワイトボードのように表示画面が鉛直面となるようにして用いられるものであるのに対し、図７の表示装置１’は、机等の上において表示画面が水平面となるようにして用いられ、描画情報入力装置としてマウス形状のデバイスが２つ用いられる。以下、この２つのマウス形状のデバイスをマウスＵ１、マウスＵ２という。
マウスＵ１、マウスＵ２にはそれぞれ、左クリックボタンと右クリックボタンが設けられている。
【００３５】
例えば、ユーザが左クリックボタンを押下した状態でマウスＵ１を表示装置１’上を摺動させると、表示装置１’は、センサシステム１１での検出結果に応じて通常の描画処理を行い、表示部１０に表示する。また、ユーザが右クリックボタンを押下した状態でマウスＵ１を表示装置１’上を摺動させると、表示装置１’は、センサシステム１１での検出結果に応じて、表示部１０への表示画像の消去処理を行う。
【００３６】
一方、ユーザが左クリックボタンを押下した状態でマウスＵ２を表示装置１’上を摺動させると、表示装置１’は、センサシステム１１での検出結果に応じて、マウスＵ１のときとは異なる形態で、例えば異なる色で、通常の描画処理を行い、表示部１０に表示する。また、ユーザが右クリックボタンを押下した状態でマウスＵ２を表示装置１’上を摺動させると、表示装置１’は、マウスＵ１のときと同様に、センサシステム１１での検出結果に応じて、表示部１０への表示画像の消去処理を行う。
【００３７】
図８（Ａ）は、マウスＵ１の構成例を説明する図、図８（Ｂ）はマウスＵ２の構成例を説明する図である。
マウスＵ１は、図８（Ａ）に示すように、センサシステム１１側の面Ｕ１１に、円形の導電体からなる入力部Ｕ１２を６個と、左クリック用の導電体／入力部Ｕ１３及び右クリック用の導電体／入力部Ｕ１４とを有する。
マウスＵ２は、図８（Ｂ）に示すように、センサシステム１１側の面Ｕ２１に、円形の導電体からなる入力部Ｕ２２を６個有する。この入力部Ｕ２２の配置は、マウスＵ１の入力部Ｕ１２の配置と異なっている。また、マウスＵ２は、上記面Ｕ２１に左クリック用の導電体／入力部Ｕ２３及び右クリック用の導電体／入力部Ｕ２４を有する。
左クリック用の導電体／入力部Ｕ１３，Ｕ２３及び右クリック用の導電体／入力部Ｕ１４，Ｕ２４は、クリック動作がなされたときにのみセンサシステム１１に接触するようになっている。
これらマウスＵ１，Ｕ２は、パッシブ型であり、電源は不要である。
【００３８】
図９及び図１０は、マウスＵ１やマウスＵ２によって表示装置１’を操作したときに該表示装置１’によって静電容量の変化が検出された領域を灰色で示す図である。
図９の分布Ｄ５には、左クリックした状態のマウスＤ１によって操作したときに静電容量の変化が検出された領域のパターンＤ５１と、左クリックした状態のマウスＤ２によって操作したときに静電容量の変化が検出された領域のパターンＤ５２とが示されている。
図１０の分布Ｄ６には、右クリックした状態のマウスＤ１によって操作したときに静電容量の変化が検出された領域のパターンＤ６１と、右クリックした状態のマウスＤ２によって操作したときに静電容量の変化が検出された領域のパターンＤ６２とが示されている。
【００３９】
図９の分布Ｄ５、図１０の分布Ｄ６に示すように、左クリック状態のマウスＤ１によるタッチ入力の場合と、右クリック状態のマウスＤ１によるタッチ入力の場合と、左クリック状態のマウスＤ２によるタッチ入力の場合と、右クリック状態のマウスＤ２によるタッチ入力の場合とで、表示装置１’で検出される、静電容量が変化する位置の個数と位置関係が異なり、言い換えると、検出されるタッチ入力位置のパターンが異なる。
図７の表示装置１’では、このようにタッチ入力位置のパターンが異なることを利用して、タッチ入力元及びその操作状態を判別している。
【００４０】
図１１は、図７の表示装置１’の機能を説明するブロック図である。
【００４１】
図１１の表示装置１’の記憶部１４’は、図３の記憶部１４と同様に、各種情報を記憶するものであり、例えばＨＤＤ（Hard Disk Drive）を用いて構成することができる。ただし、記憶部１４’は、左クリックボタンが押下された状態のマウスＤ１によってタッチ入力された場合に入力位置検出部１３ａによって検出されるタッチ入力位置のパターン（以下、第１の左クリックパターン）を記憶する。同様に、記憶部１４’は、右クリックボタンが押下された状態のマウスＤ１によってタッチ入力された場合に検出されるタッチ入力位置のパターン（以下、第１の右クリックパターン）、左クリックボタンが押下された状態のマウスＤ２によってタッチ入力された場合に検出されるタッチ入力位置のパターン（以下、第２の左クリックパターン）、右クリックボタンが押下された状態のマウスＤ２によってタッチ入力された場合に検出されるタッチ入力位置のパターン（以下、第２の右クリックパターン）を記憶する。
【００４２】
なお、第１及び第２の左クリックパターン並びに第１及び第２の右クリックパターンはユーザが任意に設定可能である。
【００４３】
判定部１３ｂ’は、第１〜第４の判定部１３１〜１３４を有する
第１の判定部１３１は、入力位置検出部１３ａで検出されたタッチ入力位置のパターンが、記憶部１４’に記憶の第１の左クリックパターンと一致するか判定する。同様に、第２の判定部１３２は、検出されたタッチ入力位置のパターンが、第１の右クリックパターンと一致するか判定し、第３の判定部１３３は、検出されたタッチ入力位置のパターンが、第２の左クリックパターンと一致するか判定し、第４の判定部１３４は、検出されたタッチ入力位置のパターンが、第２の右クリックパターンと一致するか判定する。
【００４４】
描画処理部１５’は、第１〜第４の判定部１３１〜１３４での判定結果に応じた描画処理を行う。より具体的には、描画処理部１５’は、第１の判定部１３１により一致すると判定された場合、タッチ入力に応じた通常の描画処理を行う。また、第３の判定部１３３により一致すると判定された場合には、第１の判定部１３１により一致すると判定された場合とは異なる色での、タッチ入力に応じた通常の描画処理を行う。一方、第２の判定部１３２や第４の判定部１３４により一致すると判定された場合、検出されたタッチ入力位置に囲まれた領域にある既に描画された情報を、背景色で上書きし、削除するイレーサ処理を行う。
【００４５】
なお、以上の例では、左クリックパターンと右クリックパターンとで、すなわち、通常の描画処理用の入力パターンとイレーサ処理用の入力パターンとで、入力パターンを一部同じとしていたが、全て別であってもよい。ただし、一部同じとすることで、マウスのサイズを小さくすることができる。
【００４６】
また、以上の例では、マウスが消去処理用のクリックボタンを１つと通常の描画処理用のクリックボタンを１つ有する形態であったが、通常の描画処理用のクリックボタンを複数設け、それぞれに対応する入力パターンを記憶部に記憶しておき、該入力パターンのいずれに一致するかに応じて描画処理の内容を異ならせるようにしてもよい。
【００４７】
表示装置は、各種情報を表示する表示部と、該表示部に対するタッチ入力を複数同時に検出可能なセンサシステムと、該センサシステムでの検出結果に応じて前記表示部に対する描画処理または消去処理を実行する描画処理部とを備えるものであって、指示入力装置によって前記センサシステムに対して複数同時の消去処理用のタッチ入力が行われた場合の消去処理用入力パターンを記憶する記憶部と、前記センサシステムで複数同時のタッチ入力を検出した場合に、該検出した複数同時のタッチ入力から成るパターンが前記消去処理用入力パターンと一致するか否か判定する判定部と、を備え、前記判定部が前記消去処理用入力パターンと一致すると判定した場合、前記描画処理部が、前記センサシステムでの検出結果に応じて前記消去処理を行う。消去処理指示の認識に係る処理の複雑化を防ぎ、また、消去指示入力装置に電源を不要とすることができる。
【００４８】
前記記憶部が、前記指示入力装置によって前記センサシステムに対して描画処理用のタッチ入力が行われた場合の描画処理用入力パターンを記憶し、前記判定部が、前記センサシステムで複数同時のタッチ入力を検出した場合に、該検出した複数同時のタッチ入力から成るパターンが前記描画処理用入力パターンと一致するか否か判定し、前記判定部が前記描画処理用入力パターンと一致すると判定した場合、前記描画処理部は、前記センサシステムでの検出結果に応じて前記描画処理を行うとよい。これにより、消去処理の指示を入力する指示入力装置から描画処理の指示も入力することが可能となる。
【００４９】
前記描画処理用入力パターンは複数種類あり、前記描画処理部は、前記判定部が一致すると判定した前記描画処理用入力パターンの種類に応じて前記通常の描画処理を異ならせるとよい。これにより、指示入力装置からの描画処理指示の種類に応じて異なる描画処理を行うことができる。
【００５０】
前記指示入力装置のタッチ入力部が、所定のパターンからなる複数の導電体を有し、前記センサシステムは、静電容量方式のものであるとよい。
【００５１】
指示入力装置は、タッチ入力を複数同時に検出可能なセンサシステムに対するものであって、前記タッチ入力を行うための電源不要な複数の入力部を有し、該複数の入力部により同時複数のタッチ入力が可能であって同時複数のタッチ入力のパターンをユーザ操作によって変更可能である。この指示入力装置を用いることにより。消去処理指示の認識に係る処理の複雑化を防ぎ、また、消去指示入力装置に電源を不要とすることができる。さらに、消去処理の指示を入力する指示入力装置から描画処理の指示も入力することが可能となる。
【符号の説明】
【００５２】
１，１'…表示装置、１０…表示部、１１…該センサシステム、１２…容量値取得部、１３…タッチ認識処理部、１３ａ…入力位置検出部、１３ｂ，１３ｂ’…  判定部、１４…記憶部、１５…描画処理部。
【図１】
2015079350.tif 000003
【図２】
2015079350.tif 000004
【図３】
2015079350.tif 000005
【図４】
2015079350.tif 000006
【図５】
2015079350.tif 000007
【図６】
2015079350.tif 000008
【図７】
2015079350.tif 000009
【図８】
2015079350.tif 000010
【図９】
2015079350.tif 000011
【図１０】
2015079350.tif 000012
【図１１】
2015079350.tif 000013